(57)【要約】【課題】テレビ放送を受信する手段を有さずインターネット放送への加入もしていない環境下にある端末装置で、ほぼリアルタイムに近い時間でコンテンツを視聴可能にする。【解決手段】端末装置２から動画ファイル送信装置１に対して電子メールで所望のテレビジョン放送コンテンツの送信を要求し、動画ファイル送信装置が端末装置から要求されたテレビジョン放送コンテンツを受信して、その動画ファイルを電子メールに添付して端末装置に送信し、端末装置が電子メールに添付された動画ファイルを受信して再生する。【選択図】図１
2007172264.tif 000002
【特許請求の範囲】
【請求項１】
テレビジョン放送コンテンツを受信して動画ファイルとしてネットワークを介して送信する動画ファイル送信装置と、前記ネットワークに接続可能な無線端末装置とを有し、
前記無線端末装置は、前記動画ファイル送信装置に対して電子メールで所望のテレビジョン放送コンテンツの送信を要求する手段を備え、
前記動画ファイル送信装置は、前記要求されたテレビジョン放送コンテンツを受信してその動画ファイルを電子メールに添付して前記無線端末装置に送信する手段を備え、
前記無線端末装置は、前記電子メールに添付された動画ファイルを受信して再生する手段を備えた電子メール動画再生システム。
【請求項２】
前記無線端末装置は、前記動画ファイル送信装置に対して電子メールで所望のテレビジョン放送コンテンツの再生予約を要求する手段を備え、
前記動画ファイル送信装置は、前記再生予約を要求されたテレビジョン放送コンテンツを受信してその動画ファイルを電子メールに添付して前記無線端末装置に送信する手段を備え、
前記無線端末装置は、前記電子メールに添付された動画ファイルを受信して再生する手段を備えた請求項１に記載の電子メール動画再生システム。
【発明の詳細な説明】
【技術分野】
【０００１】
本発明は、動画ファイルを電子メールに添付して無線端末装置に送信して再生する電子メール動画再生システムに関する。
【背景技術】
【０００２】
従来、動画像を圧縮する技術としては、ＭＰＥＧ（Moving Picture Experts Group）規格などがよく知られているが、最近ではＭＰＥＧ４など圧縮率の範囲が広く効率的に圧縮可能な方法がよく知られている。また、近年、無線でネットワークに接続可能な携帯電話を始めとする携帯端末について電子メールの使用が普及している。そしてこれらの携帯端末の通信速度も上がってきているため、電子メールでの大きなファイルの通信も快適になりつつある。
【０００３】
これら２つの進歩に伴い、下記の特許文献１にも記載されているように、電子メールに添付されるファイルもテキストファイルのみではなく動画ファイルのような、マルチメディアに対応したファイルの添付も可能である。また、下記の特許文献２に記載されているように１つの録画済みのコンテンツを、ネットワークを介して複数のユーザが同期して受信できるような手段もある。
【特許文献１】特許第３３３３３９６号公報（請求項１）
【特許文献２】特許第３５７３２０３号公報（請求項１）
【発明の開示】
【発明が解決しようとする課題】
【０００４】
しかしながら、従来の方法では、ネットワークに接続されていて電子メールの利用ができる、主に携帯可能な端末装置においては、テレビ放送を受信する手段を持たず、また、インターネット放送への加入もしていない環境下では、現在放送しているテレビ番組などをリアルタイムで視聴できないという課題があった。
【０００５】
本発明は上記従来技術の問題点に鑑み、テレビ放送を受信する手段を有さずインターネット放送への加入もしていない環境下にある端末装置で、ほぼリアルタイムに近い時間でコンテンツを視聴することができる電子メール動画再生システムを提供することを目的とする。
【課題を解決するための手段】
【０００６】
本発明は上記目的を達成するために、テレビジョン放送コンテンツを受信して動画ファイルとしてネットワークを介して送信する動画ファイル送信装置と、前記ネットワークに接続可能な無線端末装置とを有し、
前記無線端末装置は、前記動画ファイル送信装置に対して電子メールで所望のテレビジョン放送コンテンツの送信を要求する手段を備え、
前記動画ファイル送信装置は、前記要求されたテレビジョン放送コンテンツを受信してその動画ファイルを電子メールに添付して前記無線端末装置に送信する手段を備え、
前記無線端末装置は、前記電子メールに添付された動画ファイルを受信して再生する手段を備える。
【０００７】
また、前記無線端末装置は、前記動画ファイル送信装置に対して電子メールで所望のテレビジョン放送コンテンツの再生予約を要求する手段を備え、
前記動画ファイル送信装置は、前記再生予約を要求されたテレビジョン放送コンテンツを受信してその動画ファイルを電子メールに添付して前記無線端末装置に送信する手段を備え、
前記無線端末装置は、前記電子メールに添付された動画ファイルを受信して再生する手段を備える。
【発明の効果】
【０００８】
本発明によれば、テレビ放送を受信する手段を有さずインターネット放送への加入もしていない環境下にある端末装置で、ほぼリアルタイムに近い時間でコンテンツを視聴することができる。
【発明を実施するための最良の形態】
【０００９】
以下、図面を参照して本発明の実施の形態について説明する。図１は本発明に係る電子メール動画再生システムの一実施の形態を示す構成図、図２は図１の動画ファイル送信装置を詳しく示すブロック図、図３は図１の端末装置を詳しく示すブロック図である。
【００１０】
図１において、動画ファイル送信装置１は屋内のアンテナＡＮＴと接続されていることにより地上波テレビジョン放送（ＢＳ放送、ＣＳ放送でもよい）を受信可能であって、受信した放送コンテンツから動画ファイルを生成して、既存のインターネット網３ａに接続可能なネットワーク３に送信する機能を持ち、例えばＤＶＤレコーダにより構成されている。端末装置２は屋外において既存の携帯電話網３ｂに接続可能なネットワーク３に接続されるとともに、動画ファイルのデコーダと動画を表示可能なモニタとスピーカが内蔵され、例えばＰＤＡ（Personal Digital Assistants）により構成されている。
【００１１】
ここで、端末装置２を所持するユーザＡはＰＭ５：００に旅行先から相撲中継を見ようと思ったが、周辺にテレビはなく、また、契約せずにアクセス可能なインターネット３ａ上のサイトでは中継していなかったので、端末装置２を操作し、自宅の動画ファイル送信装置１から手元の端末装置２に目的の放送を転送させようとする場合について説明する。
【００１２】
（１）ユーザＡは自宅の動画ファイル送信装置１が現在アクセス可能なコンテンツを知るために、端末装置２−動画ファイル送信装置１間の通信を行うための本システム特有の電子メールで、端末装置２から動画ファイル送信装置１に、コンテンツ一覧を要求（コンテンツ一覧要求電子メール：図５（ａ）参照）する。
（２）動画ファイル送信装置１は、コンテンツ一覧要求電子メールを受信すると、現在アクセス可能なコンテンツ一覧（図５（ｂ）参照）を端末装置２に返信する。
（３）ユーザＡは端末装置２の表示装置に表示されたコンテンツ一覧の中に「○○○総合」チャネルがあることを確認する。
（４）ユーザＡは端末装置２から動画ファイル送信装置１に、本システム特有の電子メールで○○○総合チャネルを端末装置２上で再生することを要求（再生要求電子メール：図５（ｃ）参照）する。
【００１３】
（５）動画ファイル送信装置１は、端末装置２から受信した再生要求電子メールを解析し、端末装置２の条件に合ったチャネルに切り替え、設定されたエンコード方法に変更する。
（６）動画ファイル送信装置１は、○○○総合チャネルで放送されているコンテンツを再生要求電子メールで指定された周期間隔でエンコードし、動画ファイルとして生成する。
（７）更に、生成された動画ファイルが添付された、通常の電子メールと区別が可能な本システム特有の電子メール（以降、動画添付メール）を、再生要求電子メールで指定された端末装置２の識別番号あてに送信する。
（８）更に、送信済みの動画添付ファイルをメモリから削除する。
（９）動画ファイル送信装置１は、この処理を停止の契機があるまで繰り返すことにより、現在放送中の番組を流し続ける。
【００１４】
（１０）端末装置２は、動画ファイル送信装置１から受信した動画添付メールを受信すると、動画添付メールに添付された動画ファイルをデコーダに渡すことにより、端末装置２上で１周期間隔分の動画を再生する。
（１１）更に、受信済みの動画添付ファイルをメモリ上から削除する。
（１２）端末装置２は、この処理を停止の契機があるまで繰り返すことにより、現在放送中の番組を再生し続ける。
（１３）ユーザＡは目的の番組が終了すると、端末装置２から動画ファイル送信装置１に、本システム特有の電子メールで端末装置２上での再生停止を要求（停止要求電子メール：図５（ｄ）参照）する。
（１４）動画ファイル送信装置１は停止要求電子メールを受信すると、動画ファイル生成を停止する。
（１５）端末装置２が停止要求電子メールを送信した後に、信号のすれ違いで、動画添付メールを受信した場合には、再生せずに廃棄する。
【００１５】
次に図２、図３を参照して動画ファイル送信装置１と端末装置２の構成について詳しく説明する。図２は動画ファイル送信装置１を詳しく示すブロック図である。動画ファイル送信装置１はアンテナＡＮＴ及び不図示のモニタに接続される放送受信手段１１と、ネットワーク３（インターネット３ａ）に接続されるネットワーク接続手段１２と、エンコード手段１３と、動画再生システム電子メール手段１４と、動画ファイル作成制御手段１５と、動画ファイル周期作成手段１６と、送信済み電子メール削除手段１７と、コンテンツ通知手段１８と、コンテンツ予約制御手段１９とを備えている。なお、手段１４〜１９が本システムに特有の手段である。
【００１６】
また、図２において、放送受信手段１１からエンコード手段１３への経路Ｐ１は、受信したコンテンツを動画ファイル作成のためにエンコードする場合の経路、動画ファイル作成制御手段１５からエンコード手段１３への経路Ｐ２は、端末装置２により指定されたエンコード方法に設定するための経路、動画再生システム電子メール手段１４から放送受信手段１１への経路Ｐ３は、端末装置２からの再生要求時に再生要求電子メールで指定されたチャネルを受信させるための経路、動画ファイル周期作成手段１６からエンコード手段１３への経路Ｐ４は、エンコード手段１３に動画ファイルを生成するタイミングで呼び出し、生成された動画ファイルの存在する位置を返す経路、動画再生システム電子メール手段１４から動画ファイル作成制御手段１５への経路Ｐ５は、端末装置２からの再生要求時に再生要求電子メールで指定されたエンコード条件を通知するための経路、動画ファイル周期作成手段１６から送信済み電子メール削除手段１７への経路Ｐ６は、送信済みの動画添付メールを削除するための経路である。
【００１７】
また、ネットワーク接続手段１２と動画再生システム電子メール手段１４との間の経路Ｐ７は、ネットワーク３を介して受信した電子メールが本システム用の電子メールかどうかを判断するため、また、本システム用の電子メールを端末装置２と通信するための経路、動画再生システム電子メール手段１４と動画ファイル周期作成手段１６との間の経路Ｐ８は、端末装置２からの再生要求時に再生要求信号で指定された送信間隔で動画ファイルを生成・送信することを動画ファイル周期作成手段１６に命令する為の経路、動画再生システム電子メール手段１４とコンテンツ通知手段１８との間の経路Ｐ９は、端末装置２からのコンテンツ一覧要求時に、現在アクセス可能なコンテンツ一覧ファイルを端末装置２と通信するための経路、動画再生システム電子メール手段１４とコンテンツ予約制御手段１９との間の経路Ｐ１０は、端末装置２からのコンテンツ再生予約要求時に、コンテンツ再生予約を実現させ、応答電子メールを端末装置２に送信するための経路である。
【００１８】
図３は端末装置２を詳しく示すブロック図である。端末装置２は携帯電話網３ｂの無線基地局ＢＳに接続されるネットワーク接続手段２１と、表示手段２２と、キー入力手段２３と、動画デコード再生手段２４と、動画再生システム電子メール手段２５と、連続動画コンテンツ再生制御手段２６と、受信済み電子メール削除手段２７と、コンテンツ選択手段２８と、端末装置環境通知手段２９と、コンテンツ再生予約手段３０を備えている。なお、手段２５〜３０が本システムに特有の手段である。
【００１９】
また、図３において、ネットワーク接続手段２１と動画再生システム電子メール手段２５との間の経路Ｐ１１は、ネットワーク３を介して受信した電子メールが本システム用の電子メールかどうかを判断するため、また、本システム用の電子メールを動画ファイル送信装置１と通信するための経路、動画再生システム電子メール手段２５と受信済み電子メール削除手段２７との間の経路Ｐ１２は、受信済みの動画添付メールを削除するための経路、表示手段２２とキー入力手段２３との間の経路Ｐ１３は、本システム用の電子メールなど、表示手段２２に表示されたファイルにキー入力するための経路、動画再生システム電子メール手段２５から連続動画コンテンツ再生制御手段２６への経路Ｐ１４は、連続的に動画ファイル送信装置１から受信する動画添付メールを処理し、端末装置２上で再生するための経路である。
【００２０】
また、動画再生システム電子メール手段２５から表示手段２２への経路Ｐ１５は、受信した本システム用の電子メールをユーザＡに表示するための経路、動画再生システム電子メール手段２５からコンテンツ選択手段２８への経路Ｐ１６は、動画ファイル送信装置１から受信したコンテンツを端末装置２上で実行させるための経路、動画デコード再生手段２４から表示手段２２への経路Ｐ１７は、動画ファイルをデコードして画面上に表示させるための経路、連続動画コンテンツ再生制御手段２６から動画デコード再生手段２４への経路Ｐ１８は、動画添付メールから動画ファイルを取り出し動画デコード再生手段２４に渡すための経路、コンテンツ選択手段２８から表示手段２２への経路Ｐ１９は、端末装置２上で選択されたコンテンツを画面上に表示させるための経路である。
【００２１】
＜再生＞
次に動画ファイル送信装置１の再生動作を詳しく説明する。
１．ネットワーク接続手段１２で端末装置２から図５（ａ）に示すコンテンツ一覧要求電子メールを受信したことを判断すると、コンテンツ通知手段１８で、動画ファイル送信装置１で現在選択可能なコンテンツの種類の一覧を取得し、それを端末装置２に表示及び選択させることが可能なファイルを作成する。そのファイルを動画再生システム電子メール手段１４により、ネットワーク接続手段１２経由で端末装置２に送信する。
２．ネットワーク接続手段１２で端末装置２から受信した再生要求電子メールの内容を、動画再生システム電子メール手段１４で判断し、記述されている内容を動画ファイル作成制御手段１５に通知した後、動画ファイル周期作成手段１６を起動する。再生要求電子メールの内容例を図５（ｃ）に挙げる。
【００２２】
３．再生要求電子メールで指定された放送中の番組（「地上波アナログ○○○総合」）を放送受信手段１１で受信し、動画ファイル作成制御手段１５で、再生要求電子メールの内容に沿った動画ファイルを作成可能なようにエンコード手段１３を設定し、動画ファイル周期作成手段１６で図４に示すように、再生要求電子メールに記述された送信間隔（１０秒）ごとに動画ファイルを生成する処理を開始する。この処理では、各期間のストリームに対応する動画ファイルを作成するが、端末装置２での再生は、送信間隔＋αの遅延が生じる。
４．放送の時間軸に沿って、上記３で生成された動画ファイルを、動画再生システム電子メール手段１４で電子メールに添付し、送信間隔ごとに、ネットワーク接続手段１２経由で再生要求電子メールに記述された端末装置２の識別番号あてに送信する。
５．動画ファイルが添付された各電子メールの送信が完了したら、送信済み電子メール削除手段１７で動画添付メールをメモリ上から削除する。以下、４．と５．を繰り返す。
６．ネットワーク接続手段１２で端末装置２から受信した停止要求電子メールの内容を、動画再生システム電子メール手段１４で判断し、動画ファイル周期作成手段１６を停止させることにより、動画ファイル生成を停止する。停止要求電子メールの内容例を図５（ｄ）に挙げる。
【００２３】
次に端末装置２の再生動作を詳しく説明する。
１．端末装置２で再生するコンテンツを選択するために、動画再生システム電子メール手段２５で、図５（ａ）に示すようなコンテンツ一覧要求電子メールを動画ファイル送信装置１へ送信する。
２．ネットワーク接続手段２１で動画ファイル送信装置１から受信したコンテンツ一覧表示電子メールの内容を、動画再生システム電子メール手段２５で判断し、コンテンツ選択手段２８で端末装置２の表示手段２２に図５（ｂ）に示すようなコンテンツ一覧を表示させる。
３．ユーザＡが端末装置２の表示手段２２に表示されているコンテンツ一覧の中から、コンテンツ選択手段２８で、「地上波アナログ○○○総合」を選択すると、その内容が動画再生システム電子メール手段２５に通知され、図５（ｃ）に示す再生要求電子メール画面が表示される。再生要求電子メールの「再生コンテンツ」欄には「地上波アナログ○○○総合」が設定される。
【００２４】
４．端末装置２で動画再生に必要な条件を、キー入力手段２３を利用して図５（ｃ）に示すような再生要求電子メールに設定し、動画ファイル送信装置１へ送信する。
５．ネットワーク接続手段２１で受信した、動画ファイル送信装置１が再生要求電子メールで指定した送信間隔（１０秒）ごとに放送中のストリームから生成した動画添付メールを、動画再生システム電子メール手段２５で判断し、連続動画コンテンツ再生制御手段２６を起動する。
６．連続動画コンテンツ再生制御手段２６で、受信した電子メールから動画ファイルを取り出し、動画デコード再生手段２４で再生し、表示手段２２で表示する。ここで、端末装置２が指定した周期間隔ごとに動画ファイル送信装置１がエンコードし、その後、ネットワーク３に送信し、端末装置２でデコード・再生するなどのオーバーヘッドがあるため、周期間隔＋αの遅延が生じる。
【００２５】
７．動画デコード再生手段２４で動画再生が完了したら、受信済み電子メール削除手段２７で動画添付メールをメモリ上から削除する。以下、６．と７．を繰り返す。
８．端末装置２での再生を停止するために、動画再生システム電子メール手段２５で図５（ｄ）に示すような停止要求電子メールを作成し、動画ファイル送信装置１へ送信した後、連続動画コンテンツ再生制御手段２６を停止させる。
９．停止要求電子メール送信後に、動画添付メールを受信したことを動画再生システム電子メール手段２５で判断した場合は、受信済み電子メール削除手段２７を起動することにより受信済み電子メールを削除する。
【００２６】
＜予約再生＞
次に予約再生について説明する。図１において、端末装置２を所持するユーザＡは旅行先でＰＭ５：００から相撲中継を見ようと思っているが、忘れてしまうおそれがあるので、ＰＭ５：００になると自宅の動画ファイル送信装置１から手元の端末装置２に放送される番組が転送されるよう、コンテンツ再生予約を行おうとする場合について説明する。
（１）ユーザＡは現在自宅の動画ファイル送信装置１にコンテンツ再生予約を行うために、本システム特有の電子メールで、端末装置２から動画ファイル送信装置１にコンテンツ再生予約を要求（コンテンツ再生予約要求電子メール：図６（ａ）参照）する。
（２）動画ファイル送信装置１は、端末装置２から受信したコンテンツ再生予約要求電子メールを解析し、予約要求のあった「再生コンテンツ」、「予約再生開始時刻」、「予約再生終了時刻」などの必要な情報を排他的に記憶し、再生予約処理を開始する。
【００２７】
（３）更に、端末装置２に、再生予約要求に対する応答として再生予約が完了したことを通知（コンテンツ再生予約完了電子メール：図６（ｂ）参照）する。
（４）ユーザＡは端末装置２の表示手段２２に表示されたコンテンツ再生予約完了電子メールでコンテンツ再生予約が完了したことを確認する。
（５）動画ファイル送信装置１は、再生予約処理で記憶された「予約再生開始時刻」になると、再生予約処理で記憶された「再生コンテンツ」に対応するチャネルに切り替える。
（６）更に、端末装置２に、本システム特有の電子メールでこれから予約再生が開始されることを通知（コンテンツ予約再生開始電子メール：図６（ｃ）参照）する。
（７）ユーザＡは端末装置２の表示手段２２に表示されたコンテンツ予約再生開始電子メールで、予約したコンテンツの再生が開始されることを確認する。
【００２８】
（８）動画ファイル送信装置１は、再生予約処理で記憶された「再生コンテンツ」を、再生予約処理で記憶されたエンコード方法に変更し、再生予約処理で記憶された周期間隔で、動画ファイルとして生成する処理を開始する。
（９）更に、生成された動画添付メールを、再生予約処理で記憶された端末装置２の識別番号あてに送信する。
（１０）更に、送信済みの動画添付ファイルをメモリ上から削除する。
動画ファイル送信装置１は、この処理を停止の契機があるまで繰り返すことにより、現在放送中の再生予約された番組を流し続ける。
【００２９】
（１１）端末装置２は、動画ファイル送信装置１から受信した動画添付メールを受信すると、動画添付メールに添付された動画ファイルをデコーダに渡すことにより、端末装置２上で１周期間隔分の動画を再生する。
（１２）更に、受信済みの動画添付ファイルをメモリ上から削除する。
（１３）端末装置２は、この処理を停止の契機があるまで繰り返すことにより、現在放送中の再生予約された番組を再生し続ける。
（１４）動画ファイル送信装置１は、再生予約処理で記憶された「予約再生終了時刻」になると、動画ファイル生成を停止する。
（１５）更に、端末装置２に本システム特有の電子メールで、これで予約再生が終了したことを通知（コンテンツ予約再生終了電子メール：図６（ｄ）参照）する。
（１６）ユーザＡは端末装置２の表示手段２２に表示されたコンテンツ予約再生終了電子メールで、予約したコンテンツの再生が終了したことを確認する。
（１７）端末装置２は、コンテンツ予約再生終了電子メールを受信した後に、信号のすれ違いで、動画添付メールを受信した場合には、再生せずに廃棄する。
【００３０】
次に図２における動画ファイル送信装置１の予約再生動作を詳しく説明する。
１．ネットワーク接続手段１２で端末装置２からの、図６（ａ）に示すコンテンツ再生予約要求電子メール（以下単に再生予約要求電子メールとも言う）を受信したことを動画再生システム電子メール手段１４が判断すると、コンテンツ再生予約要求電子メールに設定されたコンテンツ予約内容（「再生コンテンツ」と「再生開始時刻」と「再生終了時刻」など）をコンテンツ予約制御手段１９に引き渡し、コンテンツ予約制御手段１９を起動する。コンテンツ予約制御手段１９はコンテンツ再生予約内容を排他的に記憶し、動画再生システム電子メール手段１４に予約完了を通知する。動画再生システム電子メール手段１４は端末装置２に対して、ネットワーク接続手段１２経由で図６（ｂ）に示すようなコンテンツ再生予約完了電子メールを送信する。
【００３１】
２．コンテンツ予約制御手段１９は記憶している「開始時刻」になると、動画再生システム電子メール手段１４を起動することにより、端末装置２に図６（ｃ）に示すようなコンテンツ予約再生開始電子メールをネットワーク接続手段１２経由で送信し、放送受信手段１１に「再生コンテンツ」で指定されたコンテンツを受信できるよう要求し、更にコンテンツ予約制御手段１９に記憶されている動画ファイル作成内容を動画ファイル作成制御手段１５に通知した後、動画ファイル周期作成手段１６を起動する。
３．コンテンツ予約制御手段１９に記憶されている、再生予約された番組（「地上波アナログ○○○総合 17:00〜18:00」）を放送受信手段１１で受信し、動画ファイル作成制御手段１５で、再生予約要求電子メールの内容に沿った動画ファイルを作成可能なようにエンコード手段１３を設定し、動画ファイル周期作成手段１６で、再生予約要求電子メールに記述された送信間隔（１０秒）ごとに動画ファイルを生成する処理を開始する。
【００３２】
４．放送の時間軸に沿って、上記３．で生成された動画ファイルを、動画再生システム電子メール手段１４で電子メールに添付し、送信間隔ごとに、ネットワーク接続手段１２経由で再生予約要求電子メールに記述された端末装置２の識別番号あてに送信する。
５．各動画添付メールの送信が完了したら、送信済み電子メール削除手段１７で動画添付メールをメモリ上から削除する。以下、４．と５．を繰り返す（動画再生を停止させるためには６．又は６Ａ．の手順で処理を行う）。
【００３３】
６．コンテンツ予約制御手段１９は記憶している「再生終了時刻」になると、動画再生システム電子メール手段１４を起動することにより、端末装置２に図６（ｄ）に示すコンテンツ予約再生終了電子メールをネットワーク接続手段１２経由で送信し、動画ファイル周期作成手段１６を停止させることにより、動画ファイル生成を停止し、コンテンツ予約制御手段１９は記憶していたコンテンツ予約内容をメモリから削除する。
または、
６Ａ．ネットワーク接続手段１２で端末装置２から受信した停止要求電子メール（図５（ｄ））の内容を動画再生システム電子メール手段１４で判断し、動画ファイル周期作成手段１６を停止させることにより、動画ファイル生成を停止する。コンテンツ予約制御手段１９は記憶していたコンテンツ予約内容をメモリから削除する。
【００３４】
次に図３における端末装置２の予約再生動作を詳しく説明する。
１．端末装置２でコンテンツ再生を予約するために、動画再生システム電子メール手段２５で図６（ａ）に示すようなコンテンツ再生予約要求電子メールを作成し、ネットワーク接続手段２１経由で動画ファイル送信装置１に送信する。ユーザＡはコンテンツ再生予約要求電子メールに必要な設定を行うためにキー入力手段２３を利用する。
２．ネットワーク接続手段２１で動画ファイル送信装置１から受信した、コンテンツ再生予約完了電子メール（図６（ｂ））の内容を動画再生システム電子メール手段２５で判断し、一般の電子メールとしてユーザＡに通知する。
３．ネットワーク接続手段２１で動画ファイル送信装置１から受信したコンテンツ予約再生開始電子メール（図６（ｃ））の内容を動画再生システム電子メール手段２５で判断し、一般の電子メールとしてユーザＡに通知する。
【００３５】
４．ネットワーク接続手段２１で受信した、動画ファイル送信装置１が再生予約要求電子メールで指定された送信間隔（１０秒）ごとに、放送中のストリームから生成した動画添付メールを動画再生システム電子メール手段２５で判断し、連続動画コンテンツ再生制御手段２５を起動する。
５．連続動画コンテンツ再生制御手段２６で、受信した動画添付メールから動画ファイルを取り出し、動画デコード再生手段２４で再生し、表示手段２２で表示する。ここで、端末装置２が指定した周期間隔ごとに動画ファイル送信装置１がエンコードし、その後、ネットワーク３に送信し、端末装置２でデコード・再生するなどのオーバーヘッドがあるため、周期間隔＋αの遅延が生じる。
６．動画デコード再生手段２４で動画再生が完了したら、受信済み電子メール削除手段２７で、動画添付メールをメモリ上から削除する。以下、５．と６．を繰り返す。（動画再生を停止する（させる）には７．又は７Ａ．の手順で処理を行う）。
【００３６】
７．ネットワーク接続手段２１で動画ファイル送信装置１から受信したコンテンツ予約再生終了電子メール（図６（ｄ））の内容を動画再生システム電子メール手段２５で判断し、連続動画コンテンツ再生制御手段２６を停止させる。
または
７Ａ．端末装置２での予約再生を途中で停止するために、動画再生システム電子メール手段２５で図５（ｄ）に示すような停止要求電子メールを作成し、動画ファイル送信装置１へ送信した後、連続動画コンテンツ再生制御手段２６を停止させる。
８．停止要求電子メール送信後に、動画添付メールを受信したことを動画再生システム電子メール手段２５で判断した場合は、受信済み電子メール削除手段２７を起動することにより受信済み電子メールを削除する。
【図面の簡単な説明】
【００３７】
【図１】本発明に係る電子メール動画再生システムの一実施の形態を示す構成図である。
【図２】図１の動画ファイル送信装置を詳しく示すブロック図である。
【図３】図１の端末装置を詳しく示すブロック図である。
【図４】図１の動画ファイル送信装置の動画ファイル作成処理を示す説明図である。
【図５】図１の電子メール動画再生システムにおける電子メール及びコンテンツ一覧の表示の一例を示す説明図である。
【図６】図１の電子メール動画再生システムにおける電子メールの一例を示す説明図である。
【符号の説明】
【００３８】
１  動画ファイル送信装置
２  端末装置
３  ネットワーク
１４  動画再生システム電子メール手段
１５  動画ファイル作成制御手段
１６  動画ファイル周期作成手段
１７  送信済み電子メール削除手段
１８  コンテンツ通知手段
１９  コンテンツ予約制御手段
２５  動画再生システム電子メール手段
２６  連続動画コンテンツ再生制御手段
２７  受信済み電子メール削除手段
２８  コンテンツ選択手段
２９  端末装置環境通知手段
３０  コンテンツ再生予約手段
【図１】
2007172264.tif 000003
【図２】
2007172264.tif 000004
【図３】
2007172264.tif 000005
【図４】
2007172264.tif 000006
【図５】
2007172264.tif 000007
【図６】
2007172264.tif 000008